(57)【要約】【課題】  複数のコンソール部を使用する場合においても、それらを容易に被検者の天板への乗り下ろしに支障のない場所へ移動させることが可能なＸ線撮影用検診台を提供する。【解決手段】  被検者を天板１９に対して乗り下ろしさせるときには、レール２０を、支軸４１を中心として、レール２０に装着されたコンソール部２３が天板１９の側方に位置する支持位置から、レール２０に装着されたコンソール部２３が天板１９より下方に位置する下降位置まで揺動させる。しかる後、レール２０をスライドブロック４２とともに下降位置から、レール２０に装着されたコンソール部２３が天板１９により覆われる退避位置まで移動させる。【選択図】        図１０
2016174618.tif 000002
【特許請求の範囲】
【請求項１】
被検者を載置する天板と、前記天板を当該天板の表面と平行な方向に移動させる天板移動機構と、を備えたＸ線撮影用検診台において、
コンソール部を装着するための、前記天板の端部に付設されたレールと、
前記レールを、当該レールに装着されたコンソール部が前記天板の側方に位置する支持位置と、当該レールに装着されたコンソール部が前記天板より下方に位置する下降位置との間で移動するように、支軸を中心に揺動させる揺動機構と、
を備えたことを特徴とするＸ線撮影用検診台。
【請求項２】
請求項１に記載のＸ線撮影用検診台において、
前記レールが、前記下降位置と、前記レールに装着されたコンソール部が前記天板により覆われる退避位置との間で往復移動するように、前記支軸を移動させる支軸移動機構をさらに備えるＸ線撮影用検診台。
【請求項３】
請求項２に記載のＸ線撮影用検診台において、
前記天板移動機構は支持部に対して前記天板を当該天板の表面と平行な方向に移動させるものであり、
前記レールは、前記天板の長手方向に沿って配設されるとともに、
前記支軸移動機構は、前記天板移動機構が前記天板を前記支持部に対して前記コンソール部が装着されたレール側に向けて移動させた後、前記支軸を前記支持部側に向けて移動させるＸ線撮影用検診台。
【発明の詳細な説明】
【技術分野】
【０００１】
この発明は、Ｘ線撮影装置によるＸ線撮影時等において、被検者を載置するＸ線撮影用検診台に関する。
【背景技術】
【０００２】
このようなＸ線撮影用検診台は、被検者を載置する天板と、この天板を天板の表面と平行な方向に移動させる天板移動機構とを備える。そして、天板の端部には、コンソール部等を装着するための、アクセサリーレールとも呼称されるレールが付設されている。このレールには天板の移動や、Ｘ線撮影装置の操作を実行するための複数のコンソール部が装着される。このコンソール部は、操作パネルとも呼称される。また、このレールに対して、心電図、造影剤のインジェクター、点滴台等の、アクセサリーとも呼称されるその他の機器が装着されることもある。
【０００３】
このように、天板の側方にレールを付設し、このレールに対して複数のコンソール部を装着した場合には、これらのコンソール部が、天板上への被検者の乗せおろしに邪魔になるという問題が生ずる。このため、従来、被検者を天板上に乗せ、あるいは、被検者を天板から降ろすときには、必要に応じ、複数のコンソール部をレールから取り外すようにしていた。
【０００４】
特許文献１には、操作パネルを、天板の各側面部に配設されるガイドレールに対して、その取り付け部を嵌合させることで、着脱可能に構成したＸ線診断装置が開示されている。
【先行技術文献】
【特許文献】
【０００５】
【特許文献１】特開２００４−１０５６０６号公報
【発明の概要】
【発明が解決しようとする課題】
【０００６】
特許文献１に記載されたように、コンソール部をレールに対して着脱可能に構成した場合においては、コンソール部を個別にレールから取り外す必要がある。このため、複数のコンソール部が使用されていた場合においては、コンソール部の着脱に煩雑な作業が必要となり、また、コンソール部の着脱のために時間を要し、被検者の天板への乗せ下ろしに時間がかかるという問題が生ずる。
【０００７】
この発明は上記課題を解決するためになされたものであり、複数のコンソール部を使用する場合においても、それらを容易に被検者の天板への乗り下ろしに支障のない場所へ移動させることが可能なＸ線撮影用検診台を提供することを目的とする。
【課題を解決するための手段】
【０００８】
請求項１に記載の発明は、被検者を載置する天板と、前記天板を当該天板の表面と平行な方向に移動させる天板移動機構と、を備えたＸ線撮影用検診台において、コンソール部を装着するための、前記天板の端部に付設されたレールと、前記レールを、当該レールに装着されたコンソール部が前記天板の側方に位置する支持位置と、当該レールに装着されたコンソール部が前記天板より下方に位置する下降位置との間で移動するように、支軸を中心に揺動させる揺動機構と、を備えたことを特徴とする。
【０００９】
請求項２に記載の発明は、請求項１に記載の発明において、前記レールが、前記下降位置と、前記レールに装着されたコンソール部が前記天板により覆われる退避位置との間で往復移動するように、前記支軸を移動させる支軸移動機構をさらに備える。
【００１０】
請求項３に記載の発明は、請求項２に記載の発明において、前記天板移動機構は支持部に対して前記天板を当該天板の表面と平行な方向に移動させるものであり、前記レールは、前記天板の長手方向に沿って配設されるとともに、前記支軸移動機構は、前記天板移動機構が前記天板を前記支持部に対して前記コンソール部が装着されたレール側に向けて移動させた後、前記支軸を前記支持部側に向けて移動させる。
【発明の効果】
【００１１】
請求項１に記載の発明によれば、レールを下方位置に移動させることにより、レールに装着されたコンソール部を一括して天板より下方の位置に配置することができる。このため、コンソール部を容易に被検者の天板の乗せ下ろしに支障のない位置へ移動させることが可能となる。
【００１２】
請求項２に記載の発明によれば、レールを退避位置に配置することにより、コンソール部を一括して、天板により覆われた被検者の天板への乗せ下ろしにさらに支障がない位置まで容易に移動させることが可能となる。
【００１３】
請求項３に記載の発明によれば、天板の長手方向に配設されたコンソール部を、一括して、天板の下方の天板により覆われ、かつ、支持部と干渉しない位置に配置することが可能となる。
【図面の簡単な説明】
【００１４】
【図１】この発明に係るＸ線撮影用検診台１００をＸ線透視撮影装置とともに示す斜視図である。
【図２】この発明に係るＸ線撮影用検診台１００における天板移動機構を正面から見た断面概要図である。
【図３】この発明に係るＸ線撮影用検診台１００における天板移動機構を側面から見た断面概要図である。
【図４】レール２０を天板１９等とともに示す平面図である。
【図５】レール２０を天板１９等とともに示す正面図である。
【図６】レール２０を天板１９等とともに示す側断面である。
【図７】レール２０を天板１９等とともに示す側断面である。
【図８】レール２０を天板１９等とともに示す側断面である。
【図９】レール２０を天板１９等とともに示す側断面である。
【図１０】レール２０の揺動機構および支軸移動機構を示す拡大図である。
【図１１】支持部材４１をレール等とともに固定するための構成の他の実施形態を示す概要図である。
【発明を実施するための形態】
【００１５】
以下、この発明の実施の形態を図面に基づいて説明する。図１は、この発明に係るＸ線撮影用検診台１００をＸ線透視撮影装置とともに示す斜視図である。なお、この図においては、後述するレールおよびコンソール部の図示を省略している。
【００１６】
この発明に係るＸ線撮影用検診台１００とともに使用されるＸ線透視撮影装置は、Ｘ線を照射するＸ線管とコリメータとから成るＸ線照射部３１と、Ｘ線照射部３１から照射されてこの発明に係るＸ線撮影用検診台１００上に横たわった被検者を通過したＸ線を検出するＸ線検出器としてのフラットパネルディテクタ（ＦＰＤ）３２と、これらのＸ線照射部３１およびフラットパネルディテクタ３２を支持するＣ型アーム３３と、このＣ型アーム３３をスライド可能に支持する支持部材３４と、この支持部材３４を旋回させる旋回部３５と、この旋回部３５を床面に対して立設した状態で支持する支持部材３６と、を備える。
【００１７】
Ｃ型アーム３３には、円弧状の案内部３７が形成されており、支持部材３４は、この案内部３７と係合することにより、Ｃ型アーム３３をスライド可能に支持している。そして、Ｃ型アーム３３は、Ｘ線照射部３１とフラットパネルディテクタ３２とを、Ｘ線管の焦点からフラットパネルディテクタ３２に至るＸ線の軸線が、案内部３７を形成する円弧の直径と一致する状態で支持している。また、旋回部３５は、支持部材３４をＣ型アーム３３等とともに、Ｘ線管の焦点からフラットパネルディテクタ３２に至るＸ線の軸線と直交する軸を中心に旋回させる。
【００１８】
このような構成を有するＸ線透視撮影装置においては、Ｃ型アーム３３をスライドおよび旋回させることにより、被検者に対して任意の方向から透視または撮影を実行することが可能となる。そして、被検者を通過しフラットパネルディテクタ３２で検出されたＸ線に基づくＸ線画像は、図示を省略した表示部に表示される。
【００１９】
図２は、この発明に係るＸ線撮影用検診台１００における天板移動機構を正面から見た断面概要図であり、図３は、この発明に係るＸ線撮影用検診台１００における天板移動機構を側面から見た断面概要図である。
【００２０】
この発明に係るＸ線撮影用検診台１００は、支持台１７と、フレーム１８と、天板１９とを備える。支持台１７とフレーム１８とは、天板１９を水平移動可能に支持するこの発明に係る支持部を構成する。天板１９は、図３に示す一対のクロスローラガイド１６の作用により、長手方向とも呼称されるＹ方向（図２における左右方向であり、図３における紙面に垂直な方向）に移動可能となっている。一方、フレーム１８は、図２に示す一対のクロスローラガイド１６の作用により、短手方向とも呼称されるＸ方向（図２における紙面に垂直は方向であり、図３における左右方向）に移動可能となっている。
【００２１】
次に、この発明の特徴部分であるコンソール部２２、２３、２４、２５を装着するためのレール２０等の構成について説明する。図４は、レール２０を天板１９等とともに示す平面図である。図５は、レール２０を天板１９等とともに示す正面図である。図６から図９は、レール２０を天板１９等とともに示す側断面である。図１０は、レール２０の揺動機構および支軸移動機構を示す拡大図である。なお、図６から図９においては、図４および図５におけるコンソール部２３付近の側断面を示している。
【００２２】
図４から図９に示すように、このＸ線撮影用検診台１００は、天板１９の長手方向に沿って配設された一対のレール２０を備える。このレール２０には、４個のコンソール部２２、２３、２４、２５が装着される。各コンソール部２２、２３、２４、２５は、図１０に示すように、レール２０に対して係合部材２９を利用して装着される。このため、各コンソール部２２、２３、２４、２５は、後述するように、レール２０の配置が変化したとしても、係合部材２９の作用により、レール２０から外れることはない。
【００２３】
ここで、コンソール部２２は、天板１９を長手方向（図２に示すＹ方向／図４および図５における左右方向）および短手方向（図３に示すＸ方向／図４における上下方向であり、図６から図９における左右方向）に移動させるために使用される。また、コンソール部２３は、図１に示すＣ型アーム３３を移動させるために使用される。また、コンソール部２４は、天板１９とＣ型アーム３３を連動させるために使用される。さらに、コンソール部２５は、図示を省略した表示部に対するデジタル画像の表示を制御するために使用される。この実施形態においては、４個のコンソール部２２、２３、２４、２５を天板１９の両端部に配設された一方のレール２０に装着した場合を示している。これらのコンソール部２２、２３、２４、２５は、必要に応じ、他方のレール２０にも装着される。
【００２４】
図１０に示すように、レール２０は、支持部材２１により支持されている。この支持部材２１は、スライドブロック４２に軸支された支軸４１を中心に揺動可能となっている。このため、レール２０は、そこに支持したコンソール部２２、２３、２４、２５とともに、支軸４１を中心に揺動可能となっている。また、図１０に示すように、支軸４１を軸支するスライドブロック４２は、一対のガイドレール４３、４４に沿って移動可能となっている。このため、レール２０が後述する下降位置に移動した後において、レール２０は、そこに支持したコンソール部２２、２３、２４、２５とともに、水平方向に移動可能となっている。
【００２５】
なお、支軸４１と支持部材２１とは、トルクヒンジ構造となっており、支持部材２１は揺動中の任意の角度位置で固定することが可能となっている。但し、支持部材４１を固定させるための構成として、トルクヒンジ構造以外の構成を採用してもよい。すなわち、レール２０を後述する支持位置等において固定可能なものであれば、その他の各種の構成を採用することができる。
【００２６】
図１１は、支持部材４１をレール等とともに固定するための構成の他の実施形態を示す概要図である。なお、上述した実施形態と同様の部材については、同一の符号を付している。
【００２７】
この実施形態においては、支持部材２１における支軸１４の外周部の領域に、外側を向く一対の凹部５１、５２が形成されている。また、スライドブロック４２には、凹部５１、５２内に侵入可能なピン５５と、このピン５５にバネ５４を介して接続されたソレノイド５３とが配設されている。支持部材２１に形成された凹部５１は、支持部材４１が支軸４１対して、図１１に示す左側方向（水平方向）を向いたときにピン５５と対向配置される位置に形成されている。また、支持部材２１に形成された凹部５２は、支持部材４１が支軸４１に対して図１１に示す下側方向（鉛直方向）を向いたときにピン５５と対向配置される位置に形成されている。
【００２８】
このため、支持部材２１が支軸４１対して図１１に示す左側方向（水平方向）を向いたときには、ピン５５が凹部５１内に侵入し、支持部材４１は図１１に示す角度位置で固定される。この状態から、支持部材２１を支軸４１を中心として揺動させるときには、ソレノイド５３の作用によりピン５５を凹部５１から退出させた後、支持部材２１を回動させる。この時点で、ソレノイド５３によるピン５５の牽引力はオフとなり、支持部材２１は、支持部材２１の表面とピン５５との先端とが当接した状態で揺動する。そして、支持部材４１が支軸４１に対して図１１に示す下側方向（鉛直方向）を向いた時点で、バネ５４の作用によりピン５５が凹部５２内に侵入する。
【００２９】
このようなレール２０の揺動を規制する揺動規制機構を採用した場合においては、支持部材２１に形成された凹部５１、５２とピン５５との作用により、レール２０および支持部材２１の揺動動作を確実に制限することができる。このため、後述するように、被検者が天板１９から乗り降りするときに、被検者がコンソール部２２、２３、２４、２５等と接触したとしても、支持部材２１がレール２０とともに移動することを確実に防止することが可能となる。
【００３０】
以上のような構成を有するＸ線撮影用検診台１００においては、Ｘ線撮影およびＸ線透視を実行するときには、図４から図６に示すように、レール２０は、このレール２０に装着されたコンソール部２２、２３、２４、２５が、天板１９の側方に位置する支持位置に配置されている。この状態においてオペレータは、コンソール部２２、２３、２４、２５を操作することにより、Ｘ線撮影およびＸ線透視を実行する。
【００３１】
一方、Ｘ線撮影およびＸ線透視を実行する前後において、被検者を天板１９に対して乗り下ろしさせるときには、レール２０を、天板１９の側方に位置する支持位置から、レール２０に装着されたコンソール部２２、２３、２４、２５が天板１９より下方に位置する下降位置、および、レール２０に装着されたコンソール部２２、２３、２４、２５が天板１９により覆われる退避位置に移動させる。
【００３２】
この場合においては、最初に、天板１９を図６に示す位置から図７に示す位置まで、短手方向に移動させる。この状態から、レール２０を、図１０に示す支軸４１を中心として、図７に示すレール２０に装着されたコンソール部２２、２３、２４、２５が、天板１９の側方に位置する支持位置から、図８に示すレール２０に装着されたコンソール部２２、２３、２４、２５が天板１９より下方に位置する下降位置まで揺動させる。しかる後、レール２０をスライドブロック４２とともに、図８に示す下降位置から、図９に示すレール２０に装着されたコンソール部２２、２３、２４、２５が天板１９により覆われる退避位置まで移動させる。
【００３３】
図９に示すように、レール２０に装着されたコンソール部２２、２３、２４、２５が天板１９により覆われる位置まで移動した場合においては、これらのコンソール部２２、２３、２４、２５が天板１９からの被検者の乗り降りに支障をきたすことはない。なお、Ｘ線撮影を実行するときには、上述した工程とは逆の順序で、レール２０を、図９に示す退避位置から、図８に示す下降位置を介して、図７および図６に示す支持位置まで復帰させる。
【００３４】
以上のように、この発明に係るＸ線撮影用検診台１００においては、複数のコンソール部２２、２３、２４、２５を、レール２０とともに、一括して被検者の天板１９からの乗り降りに支障のない場所まで、容易に移動させることが可能となる。
【００３５】
なお、上述した実施形態においては、レール２０に対して、コンソール部２２、２３、２４、２５のみを装着しているが、このレール２０に、例えば、心電計や、造影剤のインジェクター、あるいは、点滴台等のその他のアクセサリーを装着してもよい。但し、レール２０の下降位置や退避位置への移動に伴って配置が反転されることで支障をきたすものについては、予め、レール２０から取り外しておく必要がある。
【符号の説明】
【００３６】
１６      クロスローラガイド
１７      支持台
１８      フレーム
１９      天板
２０      レール
２１      支持部材
２２      コンソール部
２３      コンソール部
２４      コンソール部
２５      コンソール部
２９      係合部材
３１      Ｘ線照射部
３２      フラットパネルディテクタ
３３      Ｃ型アーム
３４      支持部材
３５      旋回部
３６      支持部材
３７      案内部
４１      支軸
４２      スライドブロック
４３      ガイドレール
４４      ガイドレール
１００    Ｘ線撮影用検診台
【図１】
2016174618.tif 000003
【図２】
2016174618.tif 000004
【図３】
2016174618.tif 000005
【図４】
2016174618.tif 000006
【図５】
2016174618.tif 000007
【図６】
2016174618.tif 000008
【図７】
2016174618.tif 000009
【図８】
2016174618.tif 000010
【図９】
2016174618.tif 000011
【図１０】
2016174618.tif 000012
【図１１】
2016174618.tif 000013